(57)【要約】【課題】雨水貯留浸透槽などの元となる配置物を構成し、配置物の内部が見通せ、貯蔵・運搬の便に優れた新規の波板状部材の提案にある。【解決手段】本発明は、平坦な頂部を有する波板状部材において、平坦な頂部から当該頂部に対し開放し下方もしくは上方に向かう筒状部が設けられ、当該筒上部には開放部から他端に向かって狭くなるようなテーパが設けられており、当該筒状部の他端が他の頂部によって形成される仮想平面まで到達している波板状部材であり、波板状のため内部の見通しがよい。筒状部があるため耐圧強度が高い。上記波板状部材を１次元ないし３次元的に配置した配置物であり、雨水貯留浸透施設あるいは軽量盛土として使用できる。【選択図】図1
2005320726.tif 000002
【特許請求の範囲】
【請求項１】
波板状部材において、当該波板状部材の頂部に開口し下方に向かう筒状部が設けられ、当該筒状部の他端が他の頂部によって形成される仮想平面もしくはそれ以上まで到達していることを特徴とする波板状部材。
【請求項２】
請求項１記載の波板状部材を１次元ないし３次元的に配置したことを特徴とする配置物。
【発明の詳細な説明】
【技術分野】
【０００１】
本発明は、波板状部材を配置した貯留浸透施設などの技術に属する。
【背景技術】
【０００２】
雨水の流出抑制を目的として、プラスチックなどで製造された容器状あるいはパイプ状部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。これら部材は、また軽量盛土材その他としての用途が提案されている。
【０００３】
本発明は、従来の部材と異なる形状の波板状部材の提案と、この波板状部材を用いた配置物を利用した雨水貯留浸透槽、軽量盛土などの提案にある。
【０００４】
【特許文献１】特開昭62-101097
【特許文献２】特開昭62-126179
【特許文献３】特開平9-296486
【特許文献４】特開平11-43971
【特許文献５】特開平10-115778
【発明の開示】
【発明が解決しようとする課題】
【０００５】
本願発明は、雨水貯留浸透槽などの元となる配置物を構成し、配置物の内部が見通せ、貯蔵・運搬の便に優れた新規の波板状部材の提案にある。
【課題を解決するための手段】
【０００６】
本第1の発明は、波板状部材において、当該波板状部材の頂部に開口し下方に向かう筒状部が設けられ、当該筒状部の他端が他の頂部によって形成される仮想平面もしくはそれ以上まで到達している波板状部材である。内部の見通しをよくするため部材の形状を波板状とし、耐圧強度を高めるため筒状部を設けた。
本第2の発明は、上記波板状部材を１次元ないし３次元的に配置した配置物である。配置物とすることで雨水等の貯留空間として利用あるいは土中を当該空間に置き換えることができる。
【発明の効果】
【０００７】
部材の形状を波板状としたため、部材を並べた配置物内部を直線的に見通すことができる。
波板状部材の頂部から当該頂部に対し開放し下方もしくは上方に向かう筒状部が設けられ、当該筒状部の他端が他の頂部によって形成される仮想平面まで到達しているため、筒状部で部材にかかる荷重を支えることができる。
【発明を実施するための最良の形態】
【０００８】
以下本発明を図によって、より詳細に説明する。
図１は本発明の配置物を構成する波板状部材の例を示す図である。図1ａに示す波板状部材はその各波板が台形状のものであり、図に示す平坦となった凸部にその凸部に開口し下方に向かう筒状部がその底面まで垂下したものである。図では筒状部は上方から下方に向かって狭くなるようなテーパが設けられブロック全体が入れ子状に重ね合わせるようになっている。
【０００９】
図１ｂは、図に示すように、波板状部材の各平坦な頂部から図1ａに示す筒状部が垂下若しくは立ち上がっているものである。
【００１０】
図1ｃは、図に示すように、台形部が直接繋がった波板状部材である。台形部には図1ａに示すと同様の筒状部が設けられている。
【００１１】
図2は上記で説明した各ブロックを配列した状態をその断面で示したものである。図2ａ、図2ｂ、図2Ｃは、それぞれ図1ａ、図1ｂ、図1ｃに示す波板状部材を配置した配置物を示している。
いずれも直線状に見通しが可能な状態に配置されている。
【００１２】
図3は、配置物をその平面図で示したものである。図3ａは、図1ａに示す波板状部材をその波の方向に沿って配置し、波の方向に対して直角の方向から見た状態を示している。図に示すとおり直線状に見通せることがわかる。内部を見通す必要性がない場合は図3ｂに示すように配置することでもよい。
【００１３】
図4は、図１ａに示す波板状部材の筒状部の長さを波板状部材の高さ以上とした波板状部材をその断面で示したものである。
図4ａは波板状部材をその波の方向に対して直角方向から見た断面であり、図4ｂは平行方向の断面である。また筒状部を上記方向に並べたときに互に対応する位置に設けたものである。
図4ｃは、図4ａ、図4ｂに配置した状態で積み重ねた配置物を示している。波板状部材の筒状部の上部がその上部に重ねた波板状部材の筒状部の下部に挿入され契合状態を形成することを示している。
【００１４】
波板状部材は必要に応じて水の上下方向の流れを阻害しないよう、その表面に適宜透孔を設けておくことが好ましい。
強度向上のため、配置物の上部から波板状部材の筒状部内にコンクリートを流し込むことも可能である。また、各波板状部材の筒状部にコンクリートの芯など、強度を向上させる部材を挿入することもできる。
【００１５】
配置物は必要に応じてその前後左右に継ぎ手を用いて接続することができる。また、通常の波板と同様波一列を重ね合わせて接続していくことも可能である。また前後方向も筒状部を重ねながら接続可能である。
以下配置物の利用に付き簡単に説明する。
【００１６】
図５は、本配置物の利用状態を示す例を示している。
図５ａは、ブロックを3次元的に配置し雨水の貯留空間を確保し、雨水の貯留もしくは浸透槽として使用される状態を模式的に示したものである。
図５ｂは、ブロックを3次元的に配列し、軽量盛土として使用する例を示している。
図５ｃは、ブロックを1次元もしくは2次元的に配列し浸透管として使用をする例を示している。
【図面の簡単な説明】
【００１７】
【図１】は、 本発明の配置物を構成する波板状部材の例を示している。
【図２】は、本発明の配置物の断面を示す図である。
【図３】は、本発明の配置物の平面図を示す図である。
【図４】は、 本発明の配置物を構成する他の波板状部材と配置した状態の例を示している。
【図５】は、本発明の配置物の利用方法の例を示す図である。
【００１８】
１  波板状部材
２  筒状部
３  配置物
４  雨水貯留浸透施設
５  軽量盛土
６  浸透管
７  シート
８  砕石
【図１】
2005320726.tif 000003
【図２】
2005320726.tif 000004
【図３】
2005320726.tif 000005
【図４】
2005320726.tif 000006
【図５】
2005320726.tif 000007